(57)【特許請求の範囲】
【請求項１】
複数の操作ユニットを、前面パネル部に重ねて設けた電子機器のデモンストレーションシステムであって、
（i）前記複数の操作ユニットの各々は、
前記電子機器の操作の指示を入力する複数の操作手段と、
前記電子機器に関する情報を表示する表示面を含む表示手段とを備えるとともに、前記複数の操作ユニットの少なくとも一つにはデモンストレーションの開始を指示するデモ操作手段と
を備え、
（ii）前記電子機器は、
前記複数の操作ユニットの各々を、複数の所定の位置に位置づけるべく個別に可動する駆動手段と、
前記デモ操作手段から指示されると、前記デモンストレーションを行うべく前記駆動手段及び前記表示手段を制御する制御手段と
を備え、
該制御手段は、
前記デモ操作手段からデモンストレーションの開始を指示されると、
前記表示手段の前記表示面の各々が前方に露出される位置に前記複数の操作ユニットを位置づけるよう前記駆動手段を制御し、
前記デモンストレーションの一の形態である表示デモンストレーションとして、前記電子機器に関する情報を前記表示面に表示するよう前記表示手段を制御し、
該表示デモンストレーションの終了に続いて
前記前面パネル部の前に、前記表示面を重ねて配置させた位置に前記複数の操作ユニットを位置づけるよう前記駆動手段を制御し、
前記デモンストレーションの他の形態である可動部デモンストレーションとして、前記複数の操作ユニットの各々の表示面を複数の方向に夫々向かわせるように個別に可動するよう前記駆動手段を制御する
ことを特徴とする電子機器デモンストレーションシステム。
【請求項２】
前記表示デモンストレーションと前記可動部デモンストレーションとは所定条件下で連続して行われること
を特徴とする請求項１に記載の電子機器デモンストレーションシステム。
【請求項３】
前記所定条件とは、前記表示デモンストレーションの連続実施回数及び可動部デモンストレーションの連続実施回数の少なくとも一方の連続実施回数であること
を特徴とする請求項２に記載の電子機器デモンストレーションシステム。
【請求項４】
前記制御手段は前記表示デモンストレーションを行うために、書き換え可能な制御プログラムを備えること
を特徴とする請求項１から３のいずれか一項に記載の電子機器デモンストレーションシステム。
【請求項５】
前記制御手段は前記可動部デモンストレーションを行うために、書き換え可能な制御プログラムを備えること
を特徴とする請求項１から４のいずれか一項に記載の電子機器デモンストレーションシステム。
【請求項６】
前記制御手段の前記表示デモンストレーションに係る制御プログラムは、前記表示デモンストレーションの回数を前記操作手段により設定可能であること
を特徴とする請求項４に記載の電子機器デモンストレーションシステム。
【請求項７】
前記制御手段の前記可動部デモンストレーションに係る制御プログラムは、前記可動部デモンストレーションの回数を前記操作手段により設定可能であること
を特徴とする請求項５に記載の電子機器デモンストレーションシステム。
【請求項８】
前記デモ操作手段は、前記操作ユニットに設けられた操作キーにより構成されていること
を特徴とする請求項１から７のいずれか一項に記載の電子機器デモンストレーションシステム。
【請求項９】
前記複数の操作ユニットのうちの最前面に配置される操作ユニットの所定部位にリモートコントロール信号の受信手段を備えること
を特徴とする請求項４から８のいずれか一項に記載の電子機器デモンストレーションシステム。
【請求項１０】
複数の操作ユニットを前面パネル部に重ねて設けた電子機器のデモンストレーション方法であって、
（i）前記複数の操作ユニットの各々は、
前記電子機器の操作の指示を入力する複数の操作手段と、
前記電子機器に関する情報を表示する表示面を含む表示手段とを備えるとともに、前記複数の操作ユニットの少なくとも一つにはデモンストレーションの開始を指示するデモ操作手段と
を備え、
（ii）前記電子機器は、
前記複数の操作ユニットの各々を、複数の所定の位置に位置づけるべく個別に可動する駆動手段と
を備える電子機器のデモンストレーション方法であって、
前記デモ操作手段からデモンストレーションの開始を指示される場合、前記表示手段の前記表示面の各々が前方に露出される位置に前記複数の操作ユニットを位置づけるよう前記駆動手段を制御する第一駆動工程と、
前記デモンストレーションの一の形態である表示デモンストレーションとして、前記電子機器に関する情報を前記表示面に表示するように前記表示手段を制御する表示デモンストレーション工程と、
該表示デモンストレーションの終了に続いて
前記前面パネル部の前に、前記表示面を重ねて配置させた位置に前記複数の操作ユニットを位置づけるように前記駆動手段を制御する第二駆動工程と、
前記デモンストレーションの他の形態である可動部デモンストレーションとして、前記複数の操作ユニットの各々の表示面を複数の方向に夫々向かわせるように個別に可動するよう前記駆動手段を制御する可動部デモンストレーション工程とが実行される
ことを特徴とする電子機器デモンストレーション方法。
【請求項１１】
前記表示デモンストレーションと前記可動部デモンストレーションとを連続して行う制御工程を更に備えることを特徴とする請求項１０に記載の電子機器デモンストレーション方法。
【発明の詳細な説明】
【０００１】
【発明の属する技術分野】
本発明は、例えば車両等の移動体に装着される電子機器であって、移動可能な複数の操作ユニットをその前面パネル部に配置した電子機器のデモンストレーションシステム及び方法の技術分野に属する。
【０００２】
【従来の技術】
従来の電子機器では、例えば車両のインストルメントパネルに装着されるＣＤ（Compact  Disc）プレーヤ、ＤＶＤプレーヤ、ＭＤ（Mini  Disc）プレーヤ、ＡＭ／ＦＭチューナ等の種々のカーオーディオ装置、或いはこれらが一体として複合化されたカーオーディオ装置、更にこれらとナビゲーション装置とが一体化されたもの等が存在する。また、リモートコントロールで操作する手段を備えた形態の電子機器がある。
【０００３】
上述したように、これらカーオーディオ装置等は益々操作機能が増え、操作が複雑になる方向にあり、限定されたインストルメントパネルの領域にこれら多くの操作機能を設ける必要がある。この対策としては種々提案されているところであるが、例えば操作キー等を設けた操作ユニットをカーオーディオ装置の前面に、相前後して複数個設け、操作機能や表示機能をそれぞれの操作ユニットに分配して設けるものが提案されている。更にこのような装置に加えてリモートコントロールで操作するシステムも提案されている。
【０００４】
【発明が解決しようとする課題】
しかしながら、そのような操作ユニットを複数個用いるものであって、更にそれらの操作ユニットが可動なものでは、電子機器の機能を説明するために表示部を用いて表示するだけでは十分にその機能を理解させることが困難であった。また、可動の操作ユニットが実際にどのような動作をするのかを理解させることも困難であった。
【０００５】
従って本発明は上記問題点に鑑みなされたものであり、可動の操作ユニットを有する電子機器の動作説明に、表示部を用いて機能を説明すると共に操作ユニットに動作をさせることで電子機器の機能を理解させる電子機器デモンストレーションシステム及び方法を提供することを課題とする。
【０００６】
【課題を解決するための手段】
本発明の電子機器デモンストレーションは上記課題を解決するために、複数の操作ユニットを、前面パネル部に重ねて設けた電子機器のデモンストレーションシステムであって、（i）前記複数の操作ユニットの各々は、前記電子機器の操作の指示を入力する複数の操作手段と、前記電子機器に関する情報を表示する表示面を含む表示手段とを備えるとともに、前記複数の操作ユニットの少なくとも一つにはデモンストレーションの開始を指示するデモ操作手段とを備え、（ii）前記電子機器は、前記複数の操作ユニットの各々を、複数の所定の位置に位置づけるべく個別に可動する駆動手段と、前記デモ操作手段から指示されると、前記デモンストレーションを行うべく前記駆動手段及び前記表示手段を制御する制御手段とを備え、該制御手段は、前記デモ操作手段からデモンストレーションの開始を指示されると、前記表示手段の前記表示面の各々が前方に露出される位置に前記複数の操作ユニットを位置づけるよう前記駆動手段を制御し、前記デモンストレーションの一の形態である表示デモンストレーションとして、前記電子機器に関する情報を前記表示面に表示するよう前記表示手段を制御し、該表示デモンストレーションの終了に続いて前記前面パネル部の前に、前記表示面を重ねて配置させた位置に前記複数の操作ユニットを位置づけるよう前記駆動手段を制御し、前記デモンストレーションの他の形態である可動部デモンストレーションとして、前記複数の操作ユニットの各々の表示面を複数の方向に夫々向かわせるように個別に可動するよう前記駆動手段を制御する。
【０００７】
本発明の電子機器デモンストレーションシステムによれば、電子機器の前面パネル部に相当する位置に、複数の操作ユニットが重ねて設けられる。移動する状態は表示面がユーザに視認しやすいような形態で配置するように作動する。加えて、車両等のインストールパネルの狭い部位に、多くの操作手段を配置することができ、また、大きくて高精細な表示手段を設けるスペースを確保することが可能となり、より詳しく機能説明を表示することが可能となる。高精細な表示手段としては例えば有機ＥＬ（Electro-Luminance）がある。電子機器としては例えばＣＤ（Compact-Disc）またはＭＤ（Mini-disc）を再生するオーディオ再生装置、ラジオ受信装置等であって、電子機器の前面パネル部には電子機器を操作するための操作手段がその可動な操作ユニットに設けられる。また、複数の操作ユニットの少なくとも一つには電子機器のデモンストレーションを開始させるデモ操作手段が備わる。
【０００８】
電子機器のデモンストレーションとして表示手段と駆動手段を用いた表示デモンストレーションと駆動手段を用いて操作ユニットの実際の移動動作を見せる可動部デモンストレーションがあり、それぞれのデモンストレーションを制御する制御手段がある。この制御手段は、上述したデモ操作手段からデモンストレーションの開始を指示されると、表示手段の各々が前方に露出される位置に複数の操作ユニットを位置づけるよう駆動手段を制御し、その後、デモンストレーションの一の形態である表示デモンストレーションとして、電子機器に関する情報を表示するよう表示手段を制御する。この表示デモンストレーションの終了に続いて、制御手段は、前面パネルの前に、表示面を重ねて配置させた位置に複数の操作ユニットを位置づけるよう駆動手段を制御し、その後、デモンストレーションの他の形態である可動部デモンストレーションとして、複数の操作ユニットの各々の表示面を複数の方向に夫々向かわせるように個別に可動するよう駆動手段を制御するのである。
【０００９】
従って、ユーザはデモ操作手段の操作により、表示手段に電子機器の情報を順次表示する表示デモンストレーションに加え、操作ユニットの実際の動作についての可動部デモンストレーションを見ることによって、電子機器が備える機能を速やかに、確実に理解することが可能となる。
【００１０】
本発明の電子機器デモンストレーションシステムの他の態様では、前記表示デモンストレーションと前記可動部デモンストレーションは所定条件下で連続して行う制御手段を備える。
【００１１】
この態様によれば、ある条件を設定することで、その条件に沿って表示に関するデモンストレーションと可動部に関するデモンストレーションを連続して行わせることができる。または、表示に関するデモンストレーションと可動部に関するデモンストレーションを関係する機能ごとに交互に行うようにしても良い。ユーザは表示部によるデモンストレーションと可動部のデモンストレーションを連続して見ることができ、電子機器の機能の理解が容易に得られる。
【００１２】
本発明の電子機器デモンストレーションシステムの一態様では、前記所定条件とは、前記表示デモンストレーションの連続実施回数及び可動部デモンストレーションの連続実施回数の少なくとも一方の連続実施回数とする。
【００１３】
この態様によれば、表示デモンストレーションを設定された回数繰り返した後、
引き続いて可動部デモンストレーションを設定された回数繰り返して終了する。或いは逆に可動部デモンストレーションを設定された回数繰り返した後、表示デモンストレーションを行うようにしても良い。
【００１６】
本発明の電子機器デモンストレーションシステムの一態様では、前記制御手段は前記表示デモンストレーションを行うために、書き換え可能な制御プログラムを備える。
【００１７】
この態様によれば、制御プログラムを書き換えることによって、表示デモンストレーションの形態を自由に設定することが可能となる。
【００１８】
本発明の電子機器デモンストレーションシステムの一態様では、前記制御手段は前記可動部デモンストレーションを行うために、書き換え可能な制御プログラムを備える。
【００１９】
この態様によれば、制御プログラムを書き換えることによって、可動部デモンストレーションの形態を自由に設定することが可能となる。
【００２０】
本発明の電子機器デモンストレーションシステムの一態様では、前記制御手段の前記表示デモンストレーションに係る制御プログラムは、前記表示デモンストレーションの回数を前記操作手段により設定可能とする。
【００２１】
この態様によれば、表示デモンストレーションの回数を操作ユニットに設けられた操作手段を用いることによって簡単にそのデモンストレーションの回数を設定することが可能となる。
【００２２】
本発明の電子機器デモンストレーションシステムの一態様では、前記制御手段の前記可動部デモンストレーションに係る制御プログラムは、前記可動部デモンストレーションの回数を前記操作手段により設定可能とする。
【００２３】
この態様によれば、可動部デモンストレーションの回数を操作ユニットに設けられた操作手段を用いることによって簡単にそのデモンストレーションの回数を設定することが可能となる。
【００２４】
本発明の電子機器デモンストレーションシステムの一態様では、前記デモ操作手段は、前記操作ユニットに設けられた操作キーにより構成される。
【００２５】
この態様によれば、デモ操作手段を操作ユニットに設ける必要はなく、電子機器を操作する操作手段の、幾つかの手段の同時操作でデモンストレーションを開始させることが可能となる。限定された操作ユニットの操作面を有効に使うことができる。
【００２６】
本発明の電子機器デモンストレーションシステムの一態様では、前記操作ユニットのうちの最前面に配置される操作ユニットの所定部位にリモートコントロール信号の受信手段を備える
この態様によれば、リモートコントロールによる電子機器の操作ができると共にデモンストレーションを制御することも可能となる。リモートコントロールには赤外線を変調して送信する手段が好適に用いられる。
【００２７】
本発明の電子機器デモンストレーション方法は上記課題を解決するために、複数の操作ユニットを前面パネル部に重ねて設けた電子機器のデモンストレーション方法であって、（i）前記複数の操作ユニットの各々は、前記電子機器の操作の指示を入力する複数の操作手段と、前記電子機器に関する情報を表示する表示面を含む表示手段とを備えるとともに、前記複数の操作ユニットの少なくとも一つにはデモンストレーションの開始を指示するデモ操作手段とを備え、（ii）前記電子機器は、前記複数の操作ユニットの各々を、複数の所定の位置に位置づけるべく個別に可動する駆動手段とを備える電子機器のデモンストレーション方法であって、前記デモ操作手段からデモンストレーションの開始を指示される場合、前記表示手段の前記表示面の各々が前方に露出される位置に前記複数の操作ユニットを位置づけるよう前記駆動手段を制御する第一駆動工程と、前記デモンストレーションの一の形態である表示デモンストレーションとして、前記電子機器に関する情報を前記表示面に表示するように前記表示手段を制御する表示デモンストレーション工程と、該表示デモンストレーションの終了に続いて前記前面パネル部の前に、前記表示面を重ねて配置させた位置に前記複数の操作ユニットを位置づけるように前記駆動手段を制御する第二駆動工程と、前記デモンストレーションの他の形態である可動部デモンストレーションとして、前記複数の操作ユニットの各々の表示面を複数の方向に夫々向かわせるように個別に可動するよう前記駆動手段を制御する可動部デモンストレーション工程とが実行される。
【００２８】
本発明の電子機器デモンストレーション方法によれば、電子機器のデモンストレーションとして操作ユニットの表示手段を用いた表示デモンストレーションを行うと共に、操作ユニットの動作を見せる可動部デモンストレーションを行う。また、それぞれのデモンストレーションは独立して制御されるので、一方ではデモの形態を個別に設定して見せることが可能である。
【００２９】
従って、ユーザはデモ操作手段の操作により、表示手段に電子機器の情報を順次表示する表示デモンストレーションに加え、操作ユニットの動作の可動部デモンストレーションを見ることが可能となる。
【００３０】
本発明の電子機器制御方法の他の態様では、前記表示デモンストレーションと前記可動部デモンストレーションとを連続して行う制御工程を更に備える。
【００３１】
ユーザは表示デモンストレーションと可動部デモンストレーションとを連続して観察することができるので、電子機器が有する機能について速やかに、正確に理解することが可能となる。
【００３２】
本発明のこのような作用、及び他の利得は次に説明する実施の形態から明らかにされる。
【００３３】
【発明の実施の形態】
まず、本発明の電子機器デモンストレーションシステムに適用される電子機器の構成について図１〜図７を参照して説明する。ここで図１及び図２は本発明の電子機器デモンストレーションシステムに用いる電子機器の構成を示す図であり、図３及び図４は電子機器の第一の動作形態を示す図であり、図５及び図６は電子機器の第二の動作形態を示す図である。図７は電子機器の操作パネルの駆動機構について説明するための図である。
【００３４】
図１に示すように電子機器１は、電子機器１を操作するための２つの操作ユニットが電子機器１の前面パネル部１５に相前後して配置されている。２つの操作ユニットで前方に配置されているものを第一操作ユニット３、第一操作ユニットの後方に隠れて配置されているものを第二操作ユニット４とする。
【００３５】
第一操作ユニット３の前面には表示装置９、各種の操作キー１０、デモキー１１、受光部１２、オープン／クローズキー１６等が備わり、第二操作ユニット４には図５に示すように、操作キー１７、表示装置１９が備わる。
【００３６】
第一操作ユニット３の表示装置９は電子機器１の機能、動作状態を表示する。操作キー１０は電子機器１を操作するための入力キーであり、デモキー１１は電子機器１のデモンストレーション（以下、適宜、「デモ」と略記する）の開始を指示する入力キーである。また、受光部１２はリモートコントロール端末からの赤外線による信号を受光する部位であり、オープン／クローズキー１６はこの操作キーを操作することにより手動で第一操作ユニット３を所定位置に移動させ、第二操作ユニット４を視認できるように操作する入力キーである。
【００３７】
また、第二操作ユニット４の操作キー１７もまた、電子機器１を操作するための入力キーであり、表示装置１９は電子機器１の機能、動作状態に加えて詳細な説明を表示する機能を有する。
【００３８】
尚、表示手段として表示装置９には例えば液晶表示装置が、また、表示装置１９には例えば有機ＥＬ（Electro-Luminescence）が好適に用いられる。
【００３９】
この第一操作ユニット３と第二操作ユニット４の２つの操作ユニットを設けることによって、例えば車載用の電子機器ではその制限されるインストルメントパネルのスペースで多くの操作キー１０、１７を配置でき、また、大きく高精細な表示装置１９を設けることが可能となっている。第二操作ユニット４を利用する必要がある場合は、後段で詳しく説明するが第一操作ユニット３が所定の位置に移動して、第二操作ユニット４がユーザに良く見えるように構成されている。また、２つの操作ユニットに限ることなく、更に多くの操作ユニットを設けることも可能であり、それらのデモも２つの操作ユニットの場合と同様な形態で行うことが可能である。
【００４０】
また、電子機器１はその機能を担うための各種構成要素、例えばオーディオ再生装置であればＣＤ再生機構やＭＤ再生機構、ＣＤ、ＭＤ収納部等が、ラジオ受信装置であればＡＭ／ＦＭ放送電波を受信するチューナ、受信電波から音声信号に変換する復調手段等が、テレビであれば映像電波を受信するチャンネルチューナ、受信した電波から映像信号や音声信号を復調する復調手段等が備えられているものである。テレビの映像表示に第二操作ユニット４の表示装置１９を兼用することも可能である。
【００４１】
電子機器１のデモンストレーションは表示部に関するデモと可動部に関するデモを統合して行うものである。次に可動部のデモに関する電子機器１の第一操作ユニット３と第二操作ユニット４の動作について説明する。表示部に関するデモは従来から一般的に用いられている方法が適用でき、その表示内容についてはここでは詳述しない。
【００４２】
図１は電子機器１のデモ開始時の状態であって、図２は図１に示す電子機器１の矢印Ａ−Ａで示す部位の断面側面図である。図２からよく分かるように、この状態では第一操作ユニット３と第二操作ユニット４は前面パネル部１５に第一操作ユニット３を前にして重なるように配置されている。
【００４３】
次に、ユーザが第一操作ユニット３のデモキー１１を操作することにより、電子機器１のデモンストレーションが開始される。初めの所定時間は表示部のデモが行われる。このとき第一操作ユニット３の表示装置９と共に第二操作ユニット４の表示装置１９においても行われる。従って、初期状態で第一操作ユニット３が開いていて表示装置１９が外部から視認できる状態であれば、そのまま表示部のデモが開始する。一方、第一操作ユニット３が開いていなければ、第一操作ユニット３が図５に示す状態に開く動作をした後、表示部のデモを開始する。表示部のデモは一連のデモを繰り返し行うようにしても良い。例えば一回のデモが３分必要とし、１０回繰り返すようにすると所要時間は約３０分となる。この時間を表示部デモンストレーション時間と設定する。
【００４４】
次に、上述した表示部のデモが終了すると可動部に関するデモが開始される。これは可動部の動作形態をユーザに示すものであって、まず、図１に示す状態から開始される。
【００４５】
次に、図３に示す状態に移行する。第一操作ユニット３が開く動作の１つの途中の状態であって、図４は図３に示す矢印Ｂ−Ｂで示す部位の断面側面図である。図４からもわかるように、第一操作ユニット３は前方にせり出している。ここで説明する電子機器１はディスク再生機能を有する装置を例としていて、図３に示す状態では、第二操作ユニット４も下方に若干移動し、ディスク挿入口７が使用可能となった状態であることを示している。この状態でディスク挿入、排出の動作のデモをするようにしても良い。尚、ラジオ等の記録媒体を装着する必要のない装置では第二操作ユニット４のこの動作の必要はない。
【００４６】
次に、図５に示す状態に移行する。同図は第一操作ユニット３が所定の位置まで開いた状態であって、図６は図５に示す矢印Ｃ−Ｃで示す部位の断面側面図である。図６からもわかるように、第一操作ユニット３は前方にせり出し、ユーザが視認しやすいように、その表示面を上向きに向けられる。また、第二操作ユニット４も同様にユーザが視認しやすいように若干上向きの角度で設定される。この状態ではディスク挿入口７は、ディスクが既に挿入済みとして再度、閉じた状態となる。
【００４７】
図５で示した状態になった後、図１で示す状態に戻り、一回の可動部のデモは終了する。表示部でのデモと同様に所定回数を行った後、電子機器１のデモンストレーションは終了する。尚、図１から図６で示す動作中にディスクの再生動作等、稼動する機構の動作を加えても良いものである。また、デモは上述したことに限ることなく、表示部に関するデモと可動部に関するデモが所定の手順で連続して行われる如何なる方法で行われても良い。
【００４８】
次に第一操作ユニット３を移動させる機構の一例として駆動装置５２について説明する。図７に示すように第一操作ユニット３はアーム２０ａ、２０ｂを介してカム３６のカム溝３８ａ、３８ｂに接続されている。アーム２０ａ、２０ｂはそれぞれカム溝３８ａ、３８ｂに、その溝に沿って移動するように取り付けられていて、カム３６が矢印Ｒ１で示す方向に回転軸３７を中心として回転することにより第一操作ユニット３は矢印Ｌ１で示す方向に移動し、また、矢印Ｒ２で示す方向に回動する。カム３６の回転制御は、システムＣＰＵ５４の指令によりモータ５６が回転し、モータ５６の回転軸３３に取り付けられたギア３２、ギア３２に歯合し、回転軸３５を中心として回転するギア３４を介して回転する。
【００４９】
第一操作ユニット３の開閉状態はフォトインタラクタ４１とそれを遮るようにカム３６に取り付けられシャッター４０の開閉検出手段からの信号に基づき開閉検出回路５８で検出される。この検出信号に基づきシステムＣＰＵ５４が第一操作ユニット３の開閉状態を判別し、その開閉動作をモータ５６を回転させることによって制御する。開閉検出手段としてはフォトインタラクタ４１を用いた光学的手段の他に磁気的手段、電気的手段等、他の位置検出手段を用いても良い。また、第二操作ユニット４の移動の必要があれば同様の機構を第二操作ユニット４に対しても設けることで可能となる。
【００５０】
次に、電子機器デモンストレーションシステムのブロック構成について図８を参照して説明する。電子機器１は２つの操作ユニット、即ち、第一操作ユニット３と第二操作ユニット４を備え、第一操作ユニット３を前側に、第二操作ユニット４を後側にして電子機器の前面パネル部１５に配置されているものである。
【００５１】
図８に示すように、電子機器１は第一操作ユニット３、第二操作ユニット４、回路基板５１、駆動機構５２、ラジオ受信装置・ＣＤ／ＭＤ再生装置５３を備えて構成される。第一操作ユニット３は表示装置９、操作キー１０、デモキー１１、表示用ＣＰＵ５９、表示用データ部６０を備える。一方、第二操作ユニット４は表示装置１９、操作キー１７、表示用ＣＰＵ６１、表示用データ部６２を備える。また、回路基板５１はシステムＣＰＵ５４、モータ駆動用ドライブ回路５５を備え、駆動機構５２は駆動用モータ５６、駆動ユニット５７、第一操作ユニット３の開閉検出回路５８を備えている。
【００５２】
ここで第一操作ユニット３には多くの操作キー１０を配置する必要があるので大きな表示装置を設けることができず、一方、第二操作ユニット４には操作キー１７を極力少なく配置し、大きく高精細の表示装置１９が設けられる。
【００５３】
次に動作について説明すると、デモキー１１からデモ開始の指示が入力されると表示用ＣＰＵ５９を介してシステムＣＰＵ５４に伝えられる。システムＣＰＵ５４は操作入力がデモ開始の指示であることを判別すると、デモプログラム７１を実行開始する。デモプログラム７１には表示装置のデモンストレーションと可動部のデモンストレーション用のプログラムがあり、その２つのプログラムは所定条件下で連続して実施される。また、これらプログラムは書き換え可能であり、更にその一部のジャンプ条件等は操作キー１０で変更可能とすることもできる。
【００５４】
まず、表示装置によるデモンストレーションが行われる。システムＣＰＵ５４から第一操作ユニット３の表示用ＣＰＵ５９を介して表示装置９に表示用データ部６０に格納されている文字情報に基づいて表示が行われる。この表示装置９には詳細な情報は表示できず、簡単な情報のみが表示される。
【００５５】
また、詳細な情報を表示するデモンストレーションの場合は第一操作ユニット３を所定位置まで移動させて、第二操作ユニット４が外部から視認できるようにする。その後システムＣＰＵ５４から第二操作ユニット４の表示用ＣＰＵ６１を介して表示装置１９に表示用データ部６２に格納されている文字情報に基づいて表示が行われる。この表示装置１９は詳細な情報を表示することができ、表示用データ部６２には詳細な情報が格納されている。
【００５６】
表示装置によるデモンストレーションが所定の回数が行われ終了したら、次にデモプログラム７１に基づき駆動部のデモンストレーションを開始する。システムＣＰＵ５４はモータ駆動用ドライブ回路５５を作動させ、駆動部５２の駆動用モータ５６、駆動ユニット５７を駆動して、第一操作ユニット３を所定位置まで移動させて、第二操作ユニット４が外部から視認できるようにする。第一操作ユニット３が閉じているか開いているかの検出は開閉検出回路５８で行い、この検出結果に基づいて第一操作ユニット３が開いていなければ開く動作がシステムＣＰＵ５４から指令され、開いたことを検出して開く動作を停止する。開いている状態から閉じる状態に移行するも同様である。
【００５７】
第一操作ユニット３の開閉動作が終了した後、一連のデモンストレーションは終了する。また、ラジオ受信装置・ＣＤ／ＭＤ再生装置５３等の内蔵されている装置の動作、例えばディスクをローディングし再生する動作を一連のデモンストレーションの中に含めても良い。更に、第二操作ユニット４を移動させる必要のある電子機器では第一操作ユニット３と同様の駆動手段を設けて作動させることで実現する。
【００５８】
尚、上述したシステムは音声を扱う電子機器に限らず、映像を扱う電子機器に用いても良いものである。また、車両搭載用の機器に限ることなく一般家庭で用いられる電子機器に適用しても良いものである。
【００５９】
次に、本発明の電子機器デモンストレーションシステムの動作の流れについて図９を参照して説明する。ここでは第一操作ユニット３は可動であり、第二操作ユニット４は固定であるとする。
【００６０】
まず、デモキー１１がＯＮすると（ステップＳ１０１）、システムＣＰＵ５４は開閉検出回路５８からの検出結果を監視して第一操作ユニット３が開いている状態か否かを判別する（ステップＳ１０２）。第一操作ユニット３が開いていない場合、第一操作ユニット３を開く動作を行う（ステップＳ１０３）。特に専用のデモキー１１に替えて操作キー１０の所定の組み合わせ操作でデモンストレーションを開始する構成であっても良い。
【００６１】
次に、表示デモをスタートさせる（ステップＳ１０４）。表示デモとしては第一操作ユニット３の表示装置９には簡単な表示で済む情報が順次表示され、また、第二操作ユニット４の表示装置１９には詳細な情報が順次表示される。例えば表示装置９には電子機器の操作項目を順次示し、表示装置１９にはその項目についての詳細な説明が、映像が必要であれば映像を表示しながら順次説明していく形態が考えられる。
【００６２】
次に、表示デモの回数Ｎをカウントし（ステップＳ１０５）、そのカウント数Ｎが初期設定された回数Ｎ０以上であるか否かを判別する（ステップＳ１０６）。カウント数ＮがＮ０に達していなければステップＳ１０４に戻り、表示デモを再開し、カウント数ＮがＮ０に達すると表示デモを終了する（ステップＳ１０７）。例えばＮ０を１０回と設定し、一回のデモ時間が約３分かかるとすると３０分程で表示に関するデモンストレーションを終了する。Ｎ０は１０回に限ることなく任意の値に設定してよいものであり、また、外部から任意に設定することが可能なようにしても良い。
【００６３】
表示デモが終了すると駆動デモが開始される（ステップＳ１０８）。この駆動デモは電子機器の可動部の動作形態を実際の動作で示すことであって、まず、開かれている第一操作ユニット３を閉じ（ステップＳ１０９）、次に第一操作ユニット３を開ける（ステップＳ１１０）。次に駆動デモの回数Ｍをカウントし（ステップＳ１１０）、そのカウント数Ｍが初期設定された回数Ｍ０以上であるか否かを判別する（ステップＳ１１２）。カウント数ＭがＭ０に達していなければステップＳ１０８に戻り、駆動デモを再開し、カウント数ＭがＭ０に達するとステップＳ１０１に戻って次のデモンストレーションを待つことになる。Ｍ０は任意の値に設定してよいものであり、また、外部から任意に設定することが可能なようにしても良い。
【００６４】
上述したようにして電子機器の表示と動作を含めたデモンストレーションが行われ、ユーザはその電子機器の動作、機能、能力について視覚的にも十分に理解が得られるものである。尚、第二操作ユニット４も可動であれば第一操作ユニット３の各動作ステップで第二操作ユニット４も同様に動作させるようにすれば良い。また、上述した動作の流れに限ることなく、他の動作の流れを構成しても良いものである。
【００６５】
次に、図１０及び図１１のシーケンスチャートを参照し、電子機器デモンストレーションシステムの構成要素間の相互作用について、時間の流れを追って説明する。図中矢印は作用する要素と作用の方向を示し、縦方向は時間の経過を表す。尚、構成要素はユーザ、システムＣＰＵ、駆動部、第一操作ユニットとする。また、図１０の※１〜４は図１１の※１〜４に連続することを意味する。
【００６６】
まず、ユーザがデモキー１１をＯＮする（ステップＳ２０１）。システムＣＰＵ５４はこの操作を受けて駆動部５２に対して第一操作ユニット３の開閉状態を確認するための情報を要求する（ステップＳ２０２）。駆動部５２の開閉検出回路５８により開閉状態が検出され（ステップＳ２０３）、システムＣＰＵ５４はこの情報に基づき第一操作ユニット３が開いているか否かを判別する（ステップＳ２０４）。第一操作ユニット３が開いていなければ駆動部５２に対して第一操作ユニット３を開くように指示し、駆動部５２は開く動作を行い（ステップＳ２０５）、第一操作ユニット３は開くことになる（ステップＳ２０６）。
【００６７】
第一操作ユニット３が開いた状態でシステムＣＰＵ５４は第一操作ユニット３の表示部９、及び第二操作ユニット４の表示部１９に対して表示デモを開始するようにし（ステップＳ２０７）、表示部９及び表示部１９で表示デモが行われ（ステップＳ２０８）。ユーザはこの表示を観察する（ステップＳ２０９）。
【００６８】
次に、システムＣＰＵ５４で表示デモの回数Ｎがカウント（ステップＳ２１０）され、その回数Ｎが初期設定された回数Ｎ０に達したか否かを判別し（ステップＳ２１１）、達していなければステップＳ２０７から表示デモを繰り返す。達していれば表示デモを終了する（ステップＳ２１２）。
【００６９】
表示デモが終了すると、システムＣＰＵ５４は駆動部５２のデモを開始させる（ステップＳ２１３）。開いている第一操作ユニット３を閉じる動作を駆動部５２に対し指示し（ステップＳ２１４）、駆動部５２はその指示に従って閉じる動作を行い（ステップＳ２１５）、第一操作ユニット３は閉じた状態に戻る（ステップＳ２１６）。ユーザはこれ以降の動作に関するデモを観察することになる（ステップＳ２１７）。
【００７０】
駆動部５２の開閉検出回路５８により開閉状態が検出され（ステップＳ２１８）、ＣＰＵ５４はこの情報に基づき第一操作ユニット３は閉じた状態であることを知り、次に駆動部５２に対し第一操作ユニット３を開くように指示する（ステップＳ２１９）。駆動部５２はこの指示により第一操作ユニット３を開ける動作を行い（ステップＳ２２０）、第一操作ユニット３は開いた状態になる（ステップＳ２２１）。
【００７１】
駆動部５２の開閉検出回路５８により開いた状態が検出されると（ステップＳ２２２）、システムＣＰＵ５４は駆動デモの回数Ｍをカウントする（ステップＳ２２３）。カウント数Ｍが初期に設定したＭ０に達しているか否かを判別し（ステップＳ２２４）、達していなければステップＳ２１４に戻り、駆動デモを再開し、カウント数ＭがＭ０に達すると駆動デモは終了する（ステップＳ２２５）。駆動デモが終了するとステップＳ２０１に戻って次のデモンストレーションを待つことになる。ユーザは一連のデモの終了を確認し（ステップＳ２２６）、必要であればデモを終了させる動作を行うことになる。
【００７２】
本発明は、上述した実施形態に限られるものではなく、請求の範囲及び明細書全体から読み取れる発明の要旨或いは思想に反しない範囲で適宜変更可能であり、そのような変更を伴う電子機器デモンストレーションシステム及びその方法もまた本発明の技術思想に含まれるものである。
【００７３】
【発明の効果】
以上説明したように、本発明の電子機器デモンストレーションシステム及びその方法によれば、電子機器の操作ユニットに設けられた表示部でのデモンストレーションだけでなく、操作ユニットの実際の動きについてもデモンストレーションをすることができるので、可動部の動作が視覚的に捉えられ、電子機器の機能の理解が向上する。また、視覚的に面白い印象を与えるのでデモンストレーションの効果が向上する。
【図面の簡単な説明】
【図１】本発明の電子機器デモンストレーションシステムに用いる電子機器の構成を示す斜視図である。
【図２】図１に示す電子機器の矢印Ａ−Ａにおける断面を示す部分断面側面図である。
【図３】本発明の電子機器デモンストレーションシステムに用いる電子機器の第一の動作形態を示す斜視図である。
【図４】図３に示す電子機器の矢印Ｂ−Ｂにおける断面を示す部分断面側面図である。
【図５】本発明の電子機器デモンストレーションシステムに用いる電子機器の第二の動作形態を示す斜視図である。
【図６】図５に示す電子機器の矢印Ｃ−Ｃにおける断面を示す部分断面側面図である。
【図７】電子機器の操作パネルの駆動機構について説明するための斜視図である。
【図８】本発明の電子機器デモンストレーションシステムの構成を示すブロック図である。
【図９】本発明の電子機器デモンストレーションシステムの動作の流れを示すフローチャートである。
【図１０】本発明の電子機器デモンストレーションシステムの構成要素の動作関係を示すシーケンスチャートである。
【図１１】図１０に続くシーケンスチャートである。
【符号の説明】
１・・・電子機器
３・・・第一操作ユニット
４・・・第二操作ユニット
７・・・ディスク挿入口
９、１９・・・表示装置
１０、１７・・・操作キー
１１・・・デモキー
１２・・・受光部
１５・・・前面パネル部
１６・・・オープン／クローズキー
２０、２０ａ、２０ｂ・・・アーム
３２、３４・・・ギア
３３、３５、３７・・・回転軸
３６・・・カム
３８ａ、３８ｂ・・・カム溝
４０・・・シャッター
４１・・・フォトインタラクタ
５１・・・回路基板
５２・・・駆動部
５４・・・システムＣＰＵ
５６・・・モータ
５９、６１・・・表示用ＣＰＵ
６０、６２・・・表示用データ部
【図１】
0004029924.tif 000002
【図２】
0004029924.tif 000003
【図３】
0004029924.tif 000004
【図４】
0004029924.tif 000005
【図５】
0004029924.tif 000006
【図６】
0004029924.tif 000007
【図７】
0004029924.tif 000008
【図８】
0004029924.tif 000009
【図９】
0004029924.tif 000010
【図１０】
0004029924.tif 000011
【図１１】
0004029924.tif 000012